(57)【要約】【課題】サンプル保持体にテスター品を取り付けやすく、しかも、長期間保持することのできる棒状化粧料繰出容器のテスター品保持装置を提供する。【解決手段】内部に棒状化粧料を繰出し自在に収容する外筒２１とこの外筒２１内の棒状化粧料を繰出す回動操作部２２とを備えた棒状化粧料繰出容器からなるテスター品３と、このテスター品３を保持するサンプル保持体１とを備え、上記サンプル保持体１が、テスター品３の外筒２１を外部に突出させた状態でその回動操作部２２を収容保持する有天筒状の本体１１と、この有天筒状の本体１１の天井板１３から立設される棒状化粧料のダミー品とからなるテスター品保持装置であって、上記有天筒状本体１１の内部に、爪先端が上方に向く弾性爪１６を形成し、この弾性爪１６でテスター品３の回動操作部２２を弾性把持している。【選択図】図２
2008183211.tif 000002
【特許請求の範囲】
【請求項１】
内部に棒状化粧料を繰出し自在に収容する外筒とこの外筒内の棒状化粧料を繰出す操作部とを備えた棒状化粧料繰出容器からなるテスター品と、このテスター品を保持する保持体とを備え、上記保持体が、上記テスター品の外筒を外部に突出させた状態でその操作部を収容保持する有天筒状の本体と、この有天筒状の本体の天板から立設される棒状化粧料のダミー品とからなるテスター品保持装置であって、上記有天筒状本体の内部に、爪先端が上方に向く弾性爪を形成し、この弾性爪でテスター品の操作部を弾性把持することを特徴とする棒状化粧料繰出容器のテスター品保持装置。
【請求項２】
上記弾性爪が、上記本体に内嵌される筒体の内周部から突設され、上記弾性爪の形状が、円筒状もしくは下方にいくほど縮径する円錐台状に形成されている請求項１記載の棒状化粧料繰出容器のテスター品保持装置。
【請求項３】
上記弾性爪が、上記本体の内周面に一体成形されている請求項１記載の棒状化粧料繰出容器のテスター品保持装置。
【発明の詳細な説明】
【技術分野】
【０００１】
本発明は、口紅等の棒状化粧料の色見本品を棒状化粧料繰出容器のテスター品とともに保持し、色見本品を店頭等に展示する際にその色見本品の色をテスター品で確認することができるようにした棒状化粧料繰出容器のテスター品保持装置に関するものである。
【背景技術】
【０００２】
従来から、口紅等の色見本品を店頭等で展示する際に、図１２に示すように、上側に色見本ダミー３１を保持し下側にテスター品（試供品）３２を保持したサンプル保持体３３を多数（各色毎に）用意し、上面に多数のテスター品挿通用穴３４ａが穿設された展示台３４の上記穴３４ａにサンプル保持体３３の下部（テスター品３２の部分）を挿通して展示台３４にサンプル保持体３３を載置し、展示台３４上に色見本ダミー３１を多数並べるようにしたものがある。このように、１つのサンプル保持体３３に色見本ダミー３１とテスター品３２の両方を保持することで、色見本ダミー３１の色が本物の口紅等の色と同じであるかどうかがテスター品３２によって簡単に判別できるようになっている。
【０００３】
このような色見本ダミー３１，テスター品３２，サンプル保持体３３として、図１３に示すものがある（例えば、特許文献１参照）。すなわち、上記色見本ダミー３１は、口紅等３７（図１４参照）の先部と略同一形状に形成された筒状部と、この筒状部の下端開口部から延設されたフランジ部とを備え、このフランジ部の下面から係合爪３１ａを垂下させている。
【０００４】
上記テスター品３２は、内部に口紅等３７の保持皿３５ａが昇降自在に保持された円筒体３５と、この円筒体３５の下端部に回動自在に取付けられた回動操作部３６とを備え、この回動操作部３６を回動させることにより保持皿３５ａを昇降させるように構成している。また、上記回動操作部３６には、その下端面に係合凹部３６ａが設けられている。
【０００５】
一方、上記サンプル保持体３３は、有天角筒状に形成されており、その天井壁の下面から、上記回動操作部３６の係合凹部３６ａに着脱自在に内嵌する筒状の突部３３ａが形成されている（図１４参照）。また、天井壁には、上記色見本ダミー３１の係合爪３１ａに着脱自在に係合する嵌合孔３３ｂが穿設されている。
【０００６】
このような構成において、上記サンプル保持体３３にテスター品３２を保持する場合には、サンプル保持体３３の下端開口からテスター品３２を下に向けた状態で押し込み、サンプル保持体３３の天井壁の突部３３ａにテスター品３２の回動操作部３６の係合凹部３６ａを嵌合させることを行う。これにより、上記サンプル保持体３３とテスター品３２の回動操作部３６とが連れ回りするようになり、テスター品３２の円筒体３５を一方の手指で持ち、サンプル保持体３３を他方の手指で持って回動させることにより、テスター品３２の下端開口から棒状化粧料が現れるようになる。図１３において、３８は上記サンプル保持体３３に保持可能な販売品である。
【特許文献１】特開平８−１１７０６９号公報
【発明の開示】
【発明が解決しようとする課題】
【０００７】
しかしながら、上記のようなテスター品３２とサンプル保持体３３とでは、テスター品３２をサンプル保持体３３に長期間保持することができるように、サンプル保持体３３の天井壁の突部３３ａとテスター品３２の回動操作部３６の係合凹部３６ａとの嵌合をきつくしており、その分、サンプル保持体３３の下端開口からテスター品３２を挿入して上記突部３３ａに係合凹部３６ａを位置合わせし、上記突部３３ａに係合凹部３６ａを大きな力で押し込んで嵌合させるのが難しいという問題がある。しかも、上記色見本ダミー３１の交換とともにテスター品３２を交換する必要があり、そのたびに上記嵌合を行わなければならず、何度もの嵌合により、上記突部３３ａと係合凹部３６ａの一方もしくは双方が変形して互いの形状に馴染み、サンプル保持体３３からテスター品３２が落下しやすくなるという問題もある。
【０００８】
本発明は、このような事情に鑑みなされたもので、サンプル保持体にテスター品を取り付けやすく、しかも、長期間保持することのできる棒状化粧料繰出容器のテスター品保持装置の提供をその目的とする。
【課題を解決するための手段】
【０００９】
上記の目的を達成するため、本発明の棒状化粧料繰出容器のテスター品保持装置は、内部に棒状化粧料を繰出し自在に収容する外筒とこの外筒内の棒状化粧料を繰出す操作部とを備えた棒状化粧料繰出容器からなるテスター品と、このテスター品を保持する保持体とを備え、上記保持体が、上記テスター品の外筒を外部に突出させた状態でその操作部を収容保持する有天筒状の本体と、この有天筒状の本体の天板から立設される棒状化粧料のダミー品とからなるテスター品保持装置であって、上記有天筒状本体の内部に、爪先端が上方に向く弾性爪を形成し、この弾性爪でテスター品の操作部を弾性把持するという構成をとる。
【発明の効果】
【００１０】
すなわち、本発明の棒状化粧料繰出容器のテスター品保持装置では、これを構成する保持体にテスター品を保持する場合には、保持体の本体の下端開口から、下に向けたテスター品を上方に押し込み、このテスター品の操作部で、爪先端が上方に向く弾性爪を上方に折り曲げながら、所定の位置まで押し込む。この押し込みは、爪先端が上方に向く弾性爪をテスター品の操作部で上方に折り曲げることで行え、テスター品の操作部に作用する抵抗が小さく、スムーズに行うことができる。そして、上記所定の位置で押し込みを止めると、上方に折り曲げられた弾性爪でテスター品の操作部が把持される。このように、上記保持体の本体にテスター品を押し込む作業がスムーズに行え、保持体にテスター品を容易に取り付けることができる。しかも、上方に折り曲げられた弾性爪でテスター品の操作部が把持されているため、弾性爪により、テスター品の操作部に対し、これを内向きに押圧する力が作用して大きな把持力が得られるうえ、弾性爪とテスター品の操作部との間に、弾性爪の弾性復元力に起因する摩擦抵抗が生じてさらに把持力が大きくなり、保持体とテスター品の操作部とが連れ回り可能になり、かつ、保持体にテスター品を長期間保持することができるようにもなる。しかも、弾性爪を上方に折り曲げ、これにより生ずる弾性爪の弾性復元力を利用してテスター品を把持しているため、テスター品の交換によっても、弾性爪がテスター品の操作部に馴染むことがない。
【００１１】
本発明において、上記弾性爪が、上記本体に内嵌される筒体の内周部から突設され、上記弾性爪の形状が、円筒状もしくは下方にいくほど縮径する円錐台状に形成されている場合には、テスター品の操作部の外径を上記弾性爪の内径より少し大径に形成することで、テスター品の操作部で、上方に向く弾性爪を上方に押し上げて容易に折り曲げることができる。
【００１２】
また、本発明において、上記弾性爪が、上記本体の内周面に一体成形されている場合には、本体と弾性爪とで一部品が構成されるため、部品点数が少なく、在庫管理等の管理面が簡単になる。
【発明を実施するための最良の形態】
【００１３】
つぎに、本発明を実施するための最良の形態について説明する。ただし、本発明は、この実施の形態に限られるものではない。
【００１４】
図１は本発明の棒状化粧料繰出容器のテスター品保持装置の一実施の形態を示している。図において、１は上側に色見本ダミー２を立設するとともに下側にテスター品３を保持するサンプル保持体（保持体）であり、図２および図３に示すように、有天四角形筒状に形成された本体１１と、この本体１１内の上部に固定された保持具１２とで構成されている。
【００１５】
上記本体１１には、その上部内周面の４つの角部にそれぞれ、天井板１３の下面から下向に向かって延びる１条の係合突部１１ａが突設されており、上記保持具１２の係合溝部１４ａ（図５および図６参照）に着脱自在に係合している。また、上記本体１１の天井板１３には、上記色見本ダミー２の係合爪１８（図１参照）に着脱自在に嵌合する２つの嵌合孔１３ａが相対向状に穿設されている。
【００１６】
上記保持具１２は、シリコンゴム製の筒状体からなり、図４〜図６に示すように、上記本体１１の上部内周面に内嵌される筒状部１４と、この筒状部１４の中央丸孔１５の下端部内周面から上方に向かって延設された円筒状の弾性爪１６とを備えている。上記筒状部１４は、その外周面が、上記本体１１の上部内周面に内嵌しうる四角形状に形成されているとともに、その４つの角部にはそれぞれ、その上端面から下端面にわたって延びる状態で、上記本体１１の各係合突部１１ａに着脱自在に係合する係合溝部１４ａが形成されている。
【００１７】
上記弾性爪１６は、上記筒状部１４との間に所定の隙間を設けた状態で上記筒状部１４の内部に配設されており、上記弾性爪１６の下端部が、上側に向かって縮径する円錐台状のガイド連結部１７を介して上記筒状部１４の中央丸孔１５の下端部内周面に連結されている。また、上記弾性爪１６の内周面には、その上端面から垂下する複数条（この実施の形態では、８条）の周方向回転防止用の突部１６ａ（図２および図３では、図示せず）が突設されている。このような保持具１２を上記本体１１の上部内周面に内嵌した状態を、図７に示す。
【００１８】
２は色見本ダミーであり、口紅（棒状化粧料）４（図３参照）の先部と略同一形状に形成された筒状部２ａと、この筒状部２ａの下端開口部の外周面から延設されたフランジ部２ｂとを備えている。そして、上記フランジ部２ｂの下面から、上記本体１１の天井板１３の両嵌合孔１３ａに着脱自在に嵌合する２つの係合爪１８（一方の係合爪１８は隠れて見えない）が垂下している。
【００１９】
３はテスター品であり、内部に口紅４の保持用の中皿（図示せず）が昇降自在に収容された円筒状の外筒２１と、この外筒２１の下端部に回動自在に取付けられた回動操作部２２とを備えている。この回動操作部２２の外径は、上記弾性爪１６の筒状部１４の内径よりやや大径に形成されている。そして、外筒２１を一方の手指に持ち、回動操作部２２を他方の手指で持ち、外筒２１に対して回動操作部２２を相対回動させることにより、上記中皿を繰り出し可能に構成している。
【００２０】
このような構成において、テスター品３の外筒２１をサンプル保持体１の本体１１の下端開口から突出させた状態（すなわち、テスター品３を下向きにした状態）で、テスター品３の回動操作部２２を上記本体１１内に収容保持することができる（図２参照）。すなわち、まず、上記本体１１の下面開口からテスター品３を下向きにした状態で挿入する。ついで、この挿入を続け、上記本体１の上部内周面に内嵌した保持具１２の弾性爪１６内にテスター品３の回動操作部２２を下から押し込む。この押し込みの際に、弾性爪１６の内径よりやや大径の回動操作部２２の上端部がガイド連結部１７の内周部に当接し、回動操作部２２の上端部でガイド連結部１７を押し上げながらガイド連結部１７の内周部を押し拡げるようにして回動操作部２２がガイド連結部１７内を上昇したのち、弾性爪１６内に進入し、回動操作部２２で弾性爪１６の下端開口部を押し拡げ、これにより弾性爪１６を外側に折り曲げるようにして回動操作部２２が弾性爪１６内を上昇する（図８参照）。このような押し込み作業は、上記回動操作部２２が本体１１の天井板１３に当接するまで行う。
【００２１】
この状態では、上記押し込みにより弾性爪１６が上方に折り曲げられるため、弾性爪１６の弾性復元力により、テスター品３の回動操作部２２を内向きに押圧する力がテスター品３の回動操作部２２に作用し、弾性爪１６で上記回動操作部２２を強固に把持することができる。しかも、テスター品３と弾性爪１６との間に、弾性爪１６の弾性復元力に起因する（テスター品３の周方向や下方向への）摩擦抵抗が生じてさらにテスター品３の把持力が強くなる。また、上記弾性爪１６の内周面に突設された突部１６ａにより、テスター品３がその周方向に回動することが抑制される。したがって、サンプル保持体１の本体１１にテスター品３を長期間保持することができるうえ、上記本体１１と回動操作部２２とを連れ回りさせることができる。したがって、テスター品３の外筒２１を一方の手指で持ち、上記本体１１を他方の手指で持って回動させることにより、上記本体１１と回動操作部２２とが連れ回りし、テスター品３の外筒２１から口紅４を繰り出すことができる。
【００２２】
このように、上記実施の形態では、上方に向かって延びるガイド連結部１７，弾性爪１６をテスター品３の回動操作部２２で押し上げて外側に折り曲げることで、この回動操作部２２を弾性爪１６内に押し込むことができ、このときに上記回動操作部２２に作用する抵抗が小さく、スムーズに押し込むことができる。しかも、上方に折り曲げられた弾性爪１６でテスター品３が把持されているため、弾性爪１６により、テスター品３の回動操作部２２に対し、これを内向きに押圧する力が作用して大きな把持力が得られるうえ、弾性爪１６とテスター品３との間に、弾性爪１６の弾性復元力に起因する摩擦抵抗が生じてさらに大きな把持力が得られ、上記本体１１にテスター品３を長期間保持することができる。しかも、弾性爪１６の弾性復元力を利用しているため、弾性爪１６がテスター品３に馴染むことがない。
【００２３】
図９および図１０は上記保持具１２の変形例を示している。この例では、上記保持具１２は、上記本体１１の上部内周面に内嵌される筒状部１４と、この筒状部１４の内周面から上下３段に突設され上側にいくほど縮径する円錐台状の弾性爪１６とからなっている。この例では、弾性爪１６の下面に周方向回転防止用の突部１６ａは突設されていない。それ以外の部分は上記実施の形態で用いた保持具１２（図４〜図６参照）と同様であり、同様の部分には同じ符号を付している。この保持具１２を用いた場合にも、上記実施の形態と同様の作用・効果を奏する。
【００２４】
図１１は上記サンプル保持体１の変形例を示している。この例では、上記サンプル保持体１と、図９および図１０に示す保持具１２とが同一の合成樹脂材料により一体成形されている。また、この一体成形を容易に行うため、上記本体１１の上端開口部に天井板１３が着脱自在に固定されている。それ以外の部分は上記実施の形態で用いたサンプル保持体１と同様であり、同様の部分には同じ符号を付している。このサンプル保持体１を用いた場合にも、上記実施の形態と同様の作用・効果を奏する。
【００２５】
なお、上記実施の形態および変形例では、保持具１２を構成する材料として、シリコンゴムを用いているが、これに限定するものではなく、アクリロニトリル−ブタジエンゴム（ＮＢＲ）等のゴム材料や合成樹脂材料等、弾性を有する各種の材料が用いられる。
【００２６】
また、上記弾性爪１６は、上記実施の形態、保持具１２の変形例およびサンプル保持体１の変形例において示したものに限定されるものではなく、上方に向き、かつテスター品３をサンプル保持体１の本体１１内に収容した際にテスター品の操作部を把持することができるものであれば、どのような形状，構造のものでもよい。
【図面の簡単な説明】
【００２７】
【図１】本発明の棒状化粧料繰出容器のテスター品保持装置の一実施の形態を示す分解斜視図である。
【図２】上記テスター品保持装置の要部の断面図である。
【図３】上記テスター品保持装置の底面図である。
【図４】保持具の断面図である。
【図５】上記保持具の平面図である。
【図６】上記保持具の底面図である。
【図７】上記保持具をサンプル保持体に内嵌した状態を示す断面図である。
【図８】上記保持具の作用を示す断面図である。
【図９】上記保持具の変形例を示す断面図である。
【図１０】上記保持具の作用を示す断面図である。
【図１１】上記サンプル保持体の変形例を示す断面図である。
【図１２】従来例を示す斜視図である。
【図１３】従来例を示す分解斜視図である。
【図１４】従来例を示す断面図である。
【符号の説明】
【００２８】
１  サンプル保持体
３  テスター品
１１  本体
１３  天井板
１６  弾性爪
２１  外筒
２２  回動操作部
【図１】
2008183211.tif 000003
【図２】
2008183211.tif 000004
【図３】
2008183211.tif 000005
【図４】
2008183211.tif 000006
【図５】
2008183211.tif 000007
【図６】
2008183211.tif 000008
【図７】
2008183211.tif 000009
【図８】
2008183211.tif 000010
【図９】
2008183211.tif 000011
【図１０】
2008183211.tif 000012
【図１１】
2008183211.tif 000013
【図１２】
2008183211.tif 000014
【図１３】
2008183211.tif 000015
【図１４】
2008183211.tif 000016